(57)【要約】【課題】本発明は、回転範囲を３６０°以上とすることが可能な回転機構、回転機構を備えた表示装置、回転方法を提供する。【解決手段】ベースとなるテーブル１と、該テーブル１に対して回転軸Ａ１を中心として相対回転自在に設けられた回転ユニット２と、テーブル１及び回転ユニット２のいずれか一方に設けられたレール３と、テーブル１及び回転ユニット２のいずれか他方に設けられた可動ストッパ４と、を具備し、レール３は、周方向に少なくとも１周配置されるとともに、末端に位置する一対のレール端３Ａが半径方向（矢印Ｂ１−Ｂ２方向）に対して互いに離間する位置関係に配置され、可動ストッパ４は、レール３に沿うように移動しかつ半径方向（矢印Ｂ１−Ｂ２方向）に揺動可能に設けられることを特徴とする。【選択図】図１
2019159238.tif 000002
【特許請求の範囲】
【請求項１】
ベースとなるテーブルと、該テーブルに対して回転軸を中心として相対回転自在に設けられた回転ユニットと、前記テーブル及び前記回転ユニットのいずれか一方に設けられたレールと、前記テーブル及び前記回転ユニットのいずれか他方に設けられた可動ストッパと、を具備し、
前記レールは、周方向に少なくとも１周配置されるとともに、末端に位置する一対のレール端が半径方向に対して互いに離間する位置関係に配置され、
前記可動ストッパは、前記レールに沿うように移動しかつ半径方向に揺動可能に設けられることを特徴とする回転機構。
【請求項２】
前記レールは前記テーブル上に配置され、前記可動ストッパは前記回転ユニットに配置されることを特徴とする請求項１に記載の回転機構。
【請求項３】
前記周方向に沿うように配置された前記レールの一対のレール端は、前記テーブル上の半径方向に沿う一領域内にて間隔をおいて配置されることを特徴とする請求項１又は２のいずれか１項に記載の回転機構。
【請求項４】
前記テーブルの中央部には前記回転ユニットを回転自在に支持するための軸部材が設けられていることを特徴とする請求項１〜３のいずれか１項に記載の回転機構。
【請求項５】
前記回転ユニットは、前記可動ストッパが配置されるベースシャーシと、該ベースシャーシに固定されたベースカバーとから構成され、
前記ベースシャーシは、前記テーブルに対して相対回転自在に設けられた回転板と、該回転板に半径方向に沿うように形成されたスロット孔とを有し、
前記可動ストッパは、前記回転板に形成された前記スロット孔内に配置され、かつ該スロット孔に沿って揺動自在に設けられることを特徴とする請求項１〜４のいずれか１項に記載の回転機構。
【請求項６】
前記回転ユニットのべースカバー上には、被回転物である表示パネルが設けられることを特徴とする請求項５に記載の回転機構。
【請求項７】
ベースとなるテーブル、該テーブルに対して回転軸を中心として相対回転自在に設けられた回転ユニット、前記テーブル及び前記回転ユニットのいずれか一方に設けられたレール、及び、前記テーブル及び前記回転ユニットのいずれか他方に設けられた可動ストッパからなる回転機構と、
該回転機構の前記回転ユニット上に設置された表示パネルと、を具備し、
前記レールは、周方向に少なくとも１周配置されるとともに末端に位置する一対のレール端が半径方向に対して互いに離間するように配置され、
前記可動ストッパは、前記レールに沿うように移動しかつ半径方向に揺動可能に設けられることを特徴とする回転機構を備えた表示装置。
【請求項８】
ベースとなるテーブルに対して回転軸を中心として相対回転自在に回転ユニットを配置し、さらに前記テーブル及び前記回転ユニットのいずれか一方にレールを設けるとともに、いずれか他方に可動ストッパを設け、
前記レールを周方向に少なくとも１周配置するとともに、前記レールの末端に位置する一対のレール端を半径方向に対して互いに離間するように配置し、
さらに、前記レールに沿うように移動自在にかつ半径方向に揺動自在に可動ストッパを配置することを特徴とする回転方法。
【発明の詳細な説明】
【技術分野】
【０００１】
本発明は、表示パネルの台座などに適用される回転機構、回転機構を備えた表示装置、及び回転方法に関する。
【背景技術】
【０００２】
この種の回転機構として特許文献１が知られている。
特許文献１に示されるスイベルユニットは、スイベルレールを含むスイベルユニットがスイベルベースの上面に回転摺動自在に設けられる構成である。
このスイベルユニットでは、スイベルレールの下面側及びスイベルベースの上面側であり、かつスイベルベースの中央部を回転中心とする同一円周上に、ストッパ部材が１組ずつ配置されている。これら各ストッパ部材により、スイベルベースに対するスイベルレールの左右方向の回転角度が規制される。
【先行技術文献】
【特許文献】
【０００３】
【特許文献１】特開２００１-１６７５３号公報
【発明の概要】
【発明が解決しようとする課題】
【０００４】
ところで、特許文献１に示される回転機構では、回転体であるスイベルレールがスイベルベースの上面に左右方向に回転摺動自在に設けられている。
このスイベルレールでは、可能な限り大きな回転範囲を設定することが要求されている。しかしながら、回転範囲内の同一円周上に２つのストッパ部材が配置される構造上、該ストッパ部材の大きさ分だけ、回転範囲が小さくなる（具体的には３６０°よりも小さくなる）、という問題がある。
【０００５】
この発明は、上述した事情に鑑みてなされたものであって、回転範囲を３６０°以上とすることが可能な回転機構、回転機構を備えた表示装置、及び回転方法を提供する。
【課題を解決するための手段】
【０００６】
上記課題を解決するために、この発明は以下の手段を提案している。
本発明の第1態様に示す回転機構では、ベースとなるテーブルと、該テーブルに対して回転軸を中心として相対回転自在に設けられた回転ユニットと、前記テーブル及び前記回転ユニットのいずれか一方に設けられたレールと、前記テーブル及び前記回転ユニットのいずれか他方に設けられた可動ストッパと、を具備し、前記レールは、周方向に少なくとも１周配置されるとともに、末端に位置する一対のレール端が半径方向に対して互いに離間する位置関係に配置され、前記可動ストッパは、前記レールに沿うように移動しかつ半径方向に揺動可能に設けられることを特徴とする。
【０００７】
本発明の第２態様に示す表示装置では、ベースとなるテーブル、該テーブルに対して回転軸を中心として相対回転自在に設けられた回転ユニット、前記テーブル及び前記回転ユニットのいずれか一方に設けられたレール、及び、前記テーブル及び前記回転ユニットのいずれか他方に設けられた可動ストッパからなる回転機構と、該回転機構の前記回転ユニット上に設置された表示パネルと、を具備し、前記レールは、周方向に少なくとも１周配置されるとともに末端に位置する一対のレール端が半径方向に対して互いに離間するように配置され、前記可動ストッパは、前記レールに沿うように移動しかつ半径方向に揺動可能に設けられることを特徴とする。
【０００８】
本発明の第３態様に示す回転方法では、ベースとなるテーブルに対して回転軸を中心として相対回転自在に回転ユニットを配置し、さらに前記テーブル及び前記回転ユニットのいずれか一方にレールを設けるとともに、いずれか他方に可動ストッパを設け、前記レールを周方向に少なくとも１周配置するとともに、前記レールの末端に位置する一対のレール端を半径方向に対して互いに離間するように配置し、さらに、前記レールに沿うように移動自在にかつ半径方向に揺動自在に可動ストッパを配置することを特徴とする。
【発明の効果】
【０００９】
本発明によれば、半径方向に対して互いに離間する一対のレール端が、可動ストッパの可動範囲を決定する規制部材の役割を果たすことで、従来のようなストッパ部材が不要となる。その結果、当該ストッパ部材の配置に影響されることなく、回転ユニットの回転範囲を３６０°以上とすることができる。
【図面の簡単な説明】
【００１０】
【図１】本発明に係る回転機構を示す概略構成図である。
【図２】本発明の実施形態に係る回転機構の外観を示す斜視図である。
【図３】図３の分解斜視図である。
【図４】（Ａ）は可動ストッパ、（Ｂ）は回転ユニットのベースシャーシ、（Ｃ）はテーブルをそれぞれ示す斜視図である。
【図５】レールと可動ストッパとの位置関係を示す平面図である。
【図６】回転ユニットを反時計回り（左回り）に回転させた場合の平面図である。
【図７】回転ユニットを時計回り（右回り）に回転させた場合の平面図である。
【発明を実施するための形態】
【００１１】
はじめに、図１を参照して、本発明に係る回転機構１００について説明する。
この回転機構１００は、テーブル１、回転ユニット２、レール３及び可動ストッパ４を備える。
回転ユニット２は、ベースとなるテーブル１に対して回転軸Ａ１を中心として相対回転自在に設けられている。
レール３は、テーブル１及び回転ユニット２のいずれか一方に設けられる。
可動ストッパ４は、テーブル１及び回転ユニット２のいずれか他方に設けられる。
【００１２】
レール３は、周方向に少なくとも３６０°配置（すなわち、１周配置）される。レール３は、末端に位置する一対のレール端３Ａが半径方向（矢印Ｂ１−Ｂ２方向）に対して互いに離間する位置関係に配置される。
可動ストッパ４は、レール３に沿うように移動し、かつ半径方向（矢印Ｂ１−Ｂ２方向）に揺動可能に設けられる。
【００１３】
以上のように構成された回転機構１００によれば、レール３に沿って可動ストッパ４が移動することで、テーブル１に対して回転ユニット２が相対回転する。
ここで、周方向に沿うようにレール３が少なくとも３６０°配置（１周配置）されている。このため、レール３に沿って回転ユニット２を１回転以上（３６０°以上）回転させることができる。したがって、回転ユニット２に設置される表示パネル等の搭載物を左右いずれの方向にも向けることができる。
【００１４】
また、上記回転機構１００では、レール３の末端に位置する一対のレール端３Ａが半径方向（矢印Ｂ１−Ｂ２方向）に対して互いに離間するように設けられる。さらに、レール３に沿って移動する可動ストッパ４が半径方向（矢印Ｂ１−Ｂ２方向）に揺動可能に設けられている。
これにより、上記回転機構１００では、回転ユニット２が回転した場合に、可動ストッパ４とレール３との間に歪が生じることなく、可動ストッパ４がレール３に沿って円滑に移動できる。また、可動ストッパ４がレール端３Ａに当接することで、回転ユニット２が設定可動範囲以上に回転することを規制できる。
すなわち、上記回転機構１００では、半径方向（矢印Ｂ１−Ｂ２方向）に対して互いに離間する一対のレール端３Ａが、可動ストッパ４の可動範囲を決定する規制部材の役割を果たす。これにより、従来のようなストッパ部材が不要となり、当該ストッパ部材の配置に影響されることなく、回転ユニット２の回転範囲を３６０°以上とすることができる。
【００１５】
また、本発明では、ベースとなるテーブル１に対して回転軸Ａ１を中心として相対回転自在に回転ユニット２を配置し、さらにこれらテーブル１及び回転ユニット２のいずれか一方にレール３を設けるとともに、いずれか他方に可動ストッパ４を設けた後、レール３を周方向に少なくとも１周配置するとともに、末端に位置する一対のレール端３Ａを半径方向（矢印Ｂ１−Ｂ２方向）に対して互いに離間するように配置し、さらに、レール３に沿うように移動自在にかつ半径方向（矢印Ｂ１−Ｂ２方向）に揺動自在に可動ストッパ４を配置する、という回転方法が適用されている。
【００１６】
（実施形態）
次に、図２〜図７を参照して、本発明の実施形態に係る回転機構１０１、及び回転機構１０１を備えた表示装置２００について説明する。
回転機構１０１は、図２及び図３に示すように、テーブル１１、回転ユニット１２、レール１３及び可動ストッパ１４を備える。
【００１７】
テーブル１１は、ベースとなるものである。
レール１３は、テーブル１１の上面に設けられる。レール１３は、図３、図４（Ｃ）及び図５に示すように、回転軸Ａ１を中心として周方向に少なくとも３６０°配置（すなわち、１周配置）される。レール１３は、末端に位置する一対のレール端Ｔ１，Ｔ２が半径方向（矢印Ｂ１−Ｂ２方向）に対して互いに離間する位置関係に配置されている。すなわち、レール１３は回転軸Ａ１を中心として全体が螺旋をなすように形成されている。
また、レール１３の一対のレール端Ｔ１，Ｔ２は、図３に示すように、テーブル１１上の半径方向（矢印Ｂ１−Ｂ２方向）に沿う一領域１５内にて間隔をおいて配置されている。一領域１５は、テーブル１１上の周方向における一部の領域（図３において二つの破線で挟まれた扇状の領域）である。
【００１８】
回転ユニット１２は、図３に示すように、テーブル１１の中央部に設置された軸部材１６（図３参照）を中心として回転自在に支持される。これにより、回転ユニット１２は、該テーブル１１に対して回転自在に設けられている。回転ユニット１２は、テーブル１１上（テーブル１１の上面上）に配される。
具体的には、回転ユニット１２は、可動ストッパ１４が配置されるベースシャーシ２０と、該ベースシャーシ２０に固定されたベースカバー２１とから構成される。
ベースシャーシ２０は、図４（Ｂ）に示すように、テーブル１１に対して相対回転自在に設けられた回転板２２と、該回転板２２に半径方向（矢印Ｂ１−Ｂ２方向）に沿うように形成されたスロット孔２３とを有する。スロット孔２３は、回転板２２を貫通して形成されている。
可動ストッパ１４は、図４（Ａ）に示す形状に形成されている。可動ストッパ１４は、図３に示すように、回転板２２のスロット孔２３に配置され、かつ該スロット孔２３に沿うように半径方向（矢印Ｂ１−Ｂ２方向）に揺動可能に設けられている。
また、ベースシャーシ２０の回転板２２上には、該回転板２２をベースカバー２１に密着させるための凸状部２２Ａが設けられている。ベースカバー２１がベースシャーシ２０上に配されることで、スロット孔２３やこれに配置された可動ストッパ１４をベースカバー２１によって保護できる。
【００１９】
また、ベースカバー２１の上面には、パネル支持部材３０を介して表示パネル３１が設けられている。そして、上述した回転機構１０１に、パネル支持部材３０及び表示パネル３１が組み合わされることで、表示装置２００が構成される。
【００２０】
以上のように構成された回転機構１０１によれば、レール１３に沿って可動ストッパ１４が移動することで、テーブル１１に対して回転ユニット１２が相対回転する。
ここで、上記回転機構１０１では、レール１３が周方向に沿うように少なくとも３６０°配置（１周配置）されている。このため、図６及び図７に示すように該レール１３に沿って回転ユニット１２を１回転させることができる。したがって、回転ユニット１２上の表示パネル３１を左右いずれの方向にも向けることができる。
【００２１】
また、上記回転機構１０１では、レール１３の末端に位置する一対のレール端Ｔ１，Ｔ２が半径方向（矢印Ｂ１−Ｂ２方向）に対して互いに離間するように設けられる。さらに、レール１３に沿って移動する可動ストッパ１４が半径方向（矢印Ｂ１−Ｂ２方向）に揺動可能に設けられている。
なお、図６は、回転ユニット１２を反時計回り（左回り）に回転させることで、可動ストッパ１４がスロット孔２３の内方側（矢印Ｂ２側）に揺動した場合の例を示している。また、図７は、回転ユニット１２を時計回り（右回り）に回転させることで、可動ストッパ１４がスロット孔２３の外方側（矢印Ｂ１側）に揺動した場合の例を示している。
【００２２】
これにより、上記回転機構１０１では、図６及び図７に示すように、回転ユニット１２が左右いずれの方向に回転しても、可動ストッパ１４が半径方向（矢印Ｂ１−Ｂ２方向）に揺動することで、該可動ストッパ１４とレール１３との間に歪が生じることがない。その結果、可動ストッパ１４がレール１３に沿って円滑に移動できる。また、可動ストッパ１４がレール端Ｔ１，Ｔ２に当接することで、回転ユニット１２が設定した可動範囲以上に回転することを規制できる。
【００２３】
すなわち、上記回転機構１０１では、半径方向（矢印Ｂ１−Ｂ２方向）に対して互いに離間する一対のレール端Ｔ１，Ｔ２が、可動ストッパ１４の可動範囲を決定する規制部材の役割を果たす。これにより、従来のようなストッパ部材が不要となり、当該ストッパ部材の配置に影響されることなく、回転ユニット１２の回転範囲を３６０°とすることができる。
【００２４】
本実施形態では、テーブル１１上にレール１３を配置し、かつ回転ユニット１２に可動ストッパ１４を配置したが、例えば逆であっても良い。すなわち、テーブル１１上に可動ストッパ１４を配置し、かつ回転ユニット１２にレール１３を配置することで、テーブル１１上に回転ユニット１２を相対回転自在に設けても良い。
【００２５】
本実施形態では、レール１３の一対のレール端Ｔ１，Ｔ２を、テーブル１１上の半径方向に沿う一領域１５内に配したが、これに限ることはない。一対のレール端Ｔ１，Ｔ２は、例えば、テーブル１１上の周方向において互いに異なる領域に配されてもよい。この場合には、回転ユニット１２の回転範囲を３６０°よりも大きくすることができる。
【００２６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２７】
本発明は、表示パネルの台座に適用される回転機構、回転機構を備えた表示装置、及び回転方法に関する。
【符号の説明】
【００２８】
１  テーブル
２  回転ユニット
３  レール
３Ａ  レール端
４  可動ストッパ
１１  テーブル
１２  回転ユニット
１３  レール
１４  可動ストッパ
１５  一領域
１６  軸部材
２０  ベースシャーシ
２１  ベースカバー
２２  回転板
２３  スロット孔
３０  パネル支持部材
３１  表示パネル
１００  回転機構
１０１  回転機構
２００  表示装置
Ｔ１  レール端
Ｔ２  レール端
Ａ１  回転軸
Ｂ１-Ｂ２  半径方向
【図１】
2019159238.tif 000003
【図２】
2019159238.tif 000004
【図３】
2019159238.tif 000005
【図４】
2019159238.tif 000006
【図５】
2019159238.tif 000007
【図６】
2019159238.tif 000008
【図７】
2019159238.tif 000009